(57)【要約】【課題】構成部品が少なく製造工程を簡略化でき、さらに、使用済み薬剤容器を取り外す際に、両頭針が溶解液容器の口部から抜け出てしまうことがなく、液漏れを起こし難い両頭針付き溶解液容器を提供する。【解決手段】  溶解液容器６と、その口部６１に接続された蓋体２を有し、蓋体２には軸方向に移動できる両頭針３と、それと同軸の筒状に形成された筒状部２１が備えられ、使用時に薬剤容器を筒状部２１内に押し込むことにより、両頭針３を介し溶解液容器６と薬剤容器とを内部連通状態に連結できる両頭針付き溶解液容器１において、溶解液容器６の口部６１との接続部における蓋体２内に栓体４が配設され、蓋体２と栓体４は溶着している両頭針付き溶解液容器１である。また、両頭針３による溶解液容器６と薬剤容器との連結時において、両頭針３を固定するための拘束手段２７、または、係止手段３７が備えられている両頭針付き溶解液容器１である。【選択図】  図２
2014144029.tif 000002
【特許請求の範囲】
【請求項１】
溶解液容器と、その溶解液容器の口部に接続された蓋体を有し、その蓋体には、蓋体内で軸方向に移動できる両頭針と、その両頭針と同軸の筒状に形成された筒状部が備えられ、使用時に薬剤容器を筒状部内に押し込むことにより、両頭針を介し溶解液容器と薬剤容器とを内部連通状態に連結できる両頭針付き溶解液容器において、溶解液容器の口部との接続部における蓋体内に栓体が配設され、蓋体と栓体は溶着していることを特徴とする両頭針付き溶解液容器。
【請求項２】
前記蓋体は熱可塑性合成樹脂からなり、前記栓体は熱可塑性合成樹脂弾性体からなることを特徴とする請求項１に記載の両頭針付き溶解液容器。
【請求項３】
前記両頭針による溶解液容器と薬剤容器との連結時において、両頭針を固定するための拘束手段が、前記筒状部内の底部に備えられていることを特徴とする請求項１または２に記載の両頭針付き溶解液容器。
【請求項４】
前記両頭針による溶解液容器と薬剤容器との連結時において、両頭針を固定するための係止手段が、前記栓体を刺通して反対側に突出する両頭針の側部に備えられていることを特徴とする請求項１から３のいずれか一項に記載の両頭針付き溶解液容器。
【発明の詳細な説明】
【技術分野】
【０００１】
本発明は、バイアルなどの薬剤容器内に収容された粉末製剤や凍結乾燥製剤などの、使用時に溶解液に溶解混合するタイプの薬剤を、点滴投与する際の溶解混合手段を備える両頭針付き溶解液容器に関する。
【背景技術】
【０００２】
従来から、病院等の医療機関において、バイアルなどの薬剤容器に収容された粉末製剤や凍結乾燥製剤などの薬剤は、生理食塩水、ブドウ糖液、または純水などの溶解液に溶解混合され、薬液として患者に点滴投与されている。
そこで、薬剤の溶解液への溶解混合操作を、容易かつ衛生的に行うことができる溶解液容器として、溶解液が収容された溶解液容器に、その溶解液容器と薬剤容器とを連通するための両頭針ユニットを装着した形態の、両頭針付き溶解液容器が開発されている。
しかし、従来の両頭針付き溶解液容器は、それを構成する部品数が多く、あるいは、製造方法が複雑であり、製造コストが高いという問題があった。
【０００３】
また、薬液の点滴を受ける患者の病状などに応じ、一の溶解液に複数の薬剤を溶解混合する場合があり、そのためには、まず、最初の薬剤容器を両頭針付き溶解液容器に連結して、その薬剤容器に収容されている薬剤を溶解液に溶解させて混合し、その後、空になった使用済みの薬剤容器を取り外し、次いで、別の新たな薬剤容器を両頭針付き溶解液容器に連結し、薬剤を溶解液に溶解させて混合するという操作を繰り返す必要がある。
しかし、従来の両頭針付き溶解液容器は、両頭針を、溶解液容器の口部に刺通した状態で強固に固定することができないため、使用済みの薬剤容器を取り外す際に、両頭針が溶解液容器の口部から抜け出てしまい、溶解液が漏出する恐れがあった。また、新たな薬剤容器に両頭針を刺通する際に、両頭針が安定しておらず、正確な刺通操作が難しいという問題があった。
つまり、従来の両頭針付き溶解液容器では、複数の薬剤容器を交換しつつ、薬剤の溶解混合操作を繰り返し行うことが難しいという問題がある。
【０００４】
両頭針付き溶解液容器に関する先行技術の例として、特開平７−２１３５８７号公報（特許文献１）がある。
この特許文献１には、溶解液容器と両頭針ユニットを、同じ金型内で一体的にブロー成形するとともに、溶解液の充填と、その後の溶解液容器口部へのゴム製栓体の取り付けと、両頭針の配置作業も、同じ金型内で行う両頭針付き溶解液容器の製造方法が記載されている。
この方法で製造された両頭針付き溶解液容器は、部品数は少ないが、両頭針付き溶解液容器の製造工程の全てを、同じ金型内で行うことから、製造装置が複雑であり、その操作および調整に熟練を要するという問題がある。
【０００５】
また、特開平５−３１７３８３号公報（特許文献２）には、溶解液容器の口部上に両頭針ユニットが装着された両頭針付き溶解液容器が記載されている。
この両頭針付き溶解液容器は、溶解液容器と薬剤容器との連結時に、薬剤容器の首部を両頭針の上部に拘束するものであるため、薬剤の溶解混合操作の後、使用済みの薬剤容器を取り外す際に、両頭針が薬剤容器に引っ張られて、溶解液容器の口部のゴム製栓体から抜け出てしまう恐れがある。したがって、複数の薬剤容器を交換しつつ、薬剤の溶解混合操作を繰り返し行うことが難しいという問題がある。
【先行技術文献】
【特許文献】
【０００６】
【特許文献１】特開平７−２１３５８７号公報
【特許文献２】特開平５−３１７３８３号公報
【発明の概要】
【発明が解決しようとする課題】
【０００７】
そこで、本発明は、上記の問題に鑑みてなされたものであり、構成部品が少ないため製造工程を簡略化して製造コストを低減でき、さらに、使用済みの薬剤容器を取り外す際などに、両頭針が溶解液容器の口部から抜け出てしまうことがないため、針抜けに起因する液漏れを起こし難く、薬剤容器の交換を安全かつ確実に行うことができる両頭針付き溶解液容器を提供することを目的とする。
【課題を解決するための手段】
【０００８】
前記の課題を解決するための本発明のうち、特許請求の範囲の請求項１に記載する発明は、溶解液容器と、その溶解液容器の口部に接続された蓋体を有し、その蓋体には、蓋体内で軸方向に移動できる両頭針と、その両頭針と同軸の筒状に形成された筒状部が備えられ、使用時に薬剤容器を筒状部内に押し込むことにより、両頭針を介し溶解液容器と薬剤容器とを内部連通状態に連結できる両頭針付き溶解液容器において、溶解液容器の口部との接続部における蓋体内に栓体が配設され、蓋体と栓体は溶着していることを特徴とする両頭針付き溶解液容器である。
【０００９】
同じく請求項２に記載する発明は、前記蓋体は熱可塑性合成樹脂からなり、前記栓体は熱可塑性合成樹脂弾性体からなることを特徴とする請求項１に記載の両頭針付き溶解液容器である。
【００１０】
同じく請求項３に記載する発明は、前記両頭針による溶解液容器と薬剤容器との連結時において、両頭針を固定するための拘束手段が、前記筒状部内の底部に備えられていることを特徴とする請求項１または２に記載の両頭針付き溶解液容器である。
【００１１】
同じく請求項４に記載する発明は、前記両頭針による溶解液容器と薬剤容器との連結時において、両頭針を固定するための係止手段が、前記栓体を刺通して反対側に突出する両頭針の側部に備えられていることを特徴とする請求項１から３のいずれか一項に記載の両頭針付き溶解液容器である。
【発明の効果】
【００１２】
請求項１に記載する両頭針付き溶解液容器によれば、バイアルなどの薬剤容器に収容された薬剤の、溶解液への溶解混合操作を、容易かつ衛生的に行うことができる。
また、本発明の両頭針付き溶解液容器は、蓋体内に栓体が配設され、かつ、蓋体と栓体とは溶着して一体化しているので、両頭針付き溶解液容器を製造する際に、蓋体と栓体とを一つの部品として取り扱うことができる。したがって、溶解液容器の口部に蓋体を接続して密封する工程によって、同時に、溶解液容器の口部に栓体を取り付けることができることから、製造工程を簡略化し、製造コストを低減することができる。
【００１３】
請求項２に記載する両頭針付き溶解液容器は、前記蓋体は熱可塑性合成樹脂からなり、前記栓体は熱可塑性合成樹脂弾性体からなるので、いずれの材質も、加熱溶融して冷却固化する性質を有しており、蓋体と栓体を容易かつ強固に溶着することができるものである。
【００１４】
請求項３または請求項４に記載する両頭針付き溶解液容器によれば、両頭針による溶解液容器と薬剤容器との連結時に、両頭針を固定するための拘束手段または係止手段が備えられているので、溶解液容器の栓体に両頭針を刺通した際に、両頭針が栓体の弾性によって押し戻されることはない。したがって、両頭針が栓体から抜け出てしまうことがなく、針抜けに起因する溶解液の漏出を防ぐことができる。
また、両頭針を溶解液容器の栓体に刺通した状態でしっかり固定できるため、溶解液に複数の薬剤を溶解混合するために、薬剤容器を複数回交換する場合において、両頭針から使用済みの薬剤容器を取り外す際に、両頭針が薬剤容器に引っ張られても、栓体から抜け出てしまうことがない。
さらに、使用済みの薬剤容器を取り外した後、新たな薬剤容器を連結する際に、両頭針が、溶解液容器の栓体に刺通した状態でしっかり固定されているため、新たな薬剤容器を、何度でも安全かつ確実に連結することができる。
また、請求項３に記載する両頭針を固定する拘束手段と、請求項４に記載する係止手段とを併用すれば、溶解液容器と薬剤容器との連結時において、より強固に両頭針を固定することができるため好ましい。
【図面の簡単な説明】
【００１５】
【図１】本発明の両頭針付き溶解液容器の一実施形態の全体を示す正面図である。
【図２】図１に示す両頭針付き溶解液容器の主要部の縦断面図である。
【図３】本発明の両頭針付き溶解液容器の蓋体の一実施形態を示す縦断面図である。
【図４】図３に示す蓋体の平面図である。
【図５】本発明の両頭針付き溶解液容器の両頭針の一実施形態を示す縦断面図である。
【図６】図５に示す両頭針の側面図である。
【図７】図５に示す両頭針の平面図である。
【図８】図１に示す両頭針付き溶解液容器の使用時の一過程を表す説明図である。
【図９】図１に示す両頭針付き溶解液容器と薬剤容器との連結状態を表す説明図である。
【図１０】図１に示す両頭針付き溶解液容器の使用後の状態を表す縦断面図である。
【図１１】図１０示す両頭針付き溶解液容器の蓋体の平面図である。
【発明を実施するための形態】
【００１６】
以下、添付の図面に基づいて、本発明の実施の形態を説明する。なお、本発明はこれらの実施の形態に限定されるものではない。
【００１７】
図１および図２に示すとおり、両頭針付き溶解液容器１は、蓋体２、両頭針３、栓体４、シール部材５、および溶解液容器６を主要な構成要素として備えている。
蓋体２は、溶解液容器６の口部６１に接続されており、これによって口部６１は密封され、溶解液容器６に収容されている溶解液Ｃの漏出を防止している。
この栓体２の、溶解液容器６の口部６１との接続部は、栓体保持部２５とされており、その内部には栓体４が埋め込まれるように配設されている。栓体４は円柱状であり、その上面と側周面は、蓋体２の栓体保持部２５内面と溶着している。
【００１８】
また、蓋体２は、栓体保持部２５から上方に延設された両頭針保持部２４と、さらにその上方に延設された筒状部２１を備えている。
両頭針保持部２４には、両頭針保持孔２４１が穿設されており、この両頭針保持孔２４１に、両頭針３が軸方向にスライド移動可能な状態で挿入保持されている。
なお、以下の説明の便宜のため、図２および図８に示す、両頭針付き溶解液容器１の未使用時における両頭針３の保持位置を、「上部位置」と称し、また、図９および図１０に示す、両頭針付き溶解液容器１の使用時において両頭針３が最も下方に移動した保持位置を、「下部位置」と称する。
【００１９】
筒状部２１は、両頭針保持孔２４１および両頭針３と同軸の筒状に形成されており、その上端は、図８に示す薬剤容器Ａの挿入口２３として開口している。また、挿入口２３は、未使用時には筒状部２１内への塵などの異物の侵入を防ぐために、シール部材５によって密閉されており、薬剤容器Ａを挿入する直前に開封できるようにしてある。
なお、使用時に挿入口２３から筒状部２１内に押し込む薬剤容器Ａは、それが一般的なバイアルである場合には、薬剤を貯留するガラス製や硬質合成樹脂製の容器本体Ａ１と、容器本体Ａ１の開口部を密封する開口シール部Ａ２とからなる。また、この開口シール部Ａ２は、一般に、ゴム製栓体と、その栓体を容器本体Ａ１に固定する金属製のリング部とから構成されている。
【００２０】
図３および図４に示す蓋体２は、熱可塑性合成樹脂であるポリプロピレンにより形成されおり、その成形方法は、加熱溶融したポリプロピレンを金型のキャビティ内に流し込んで冷却固化させるインジェクション成形法によることができる。なお、ブロー成形法など他の方法を採用することも可能である。
蓋体２の材質としては、ポリプロピレンの他、ポリエチレンなどのポリオレフィン系樹脂、環状ポリオレフィン、ポリ塩化ビニルや、これらの混合物などを採用することができるが、ポリプロピレンは耐熱性が高く、加熱殺菌に対する適性に優れているため好ましい。
【００２１】
蓋体２の下部は、栓体保持部２５であり、その内部には上記のとおり栓体４が配設されている。
栓体４は、熱可塑性合成樹脂弾性体であるスチレン系熱可塑性エラストマーからなる。熱可塑性合成樹脂弾性体としては、スチレン系の他、オレフィン系、ポリウレタン系、ポリエステル系、ポリ塩化ビニル系、ポリブタジエン系などの熱可塑性エラストマーを採用することができるが、スチレン系熱可塑性エラストマーは、刺通が容易であり、また、針刺部からの液漏れ防止効果が高いことから好ましい。
【００２２】
栓体保持部２５の内部に栓体４を配設する方法は、蓋体２をインジェクション成形する際に、栓体４を配設すべき部分にあらかじめスペースを空けて成形し、次いで、このスペースに、加熱溶融したスチレン系熱可塑性エラストマーを流し込み冷却固化させて栓体４を成形するインジェクション成形法によることができる。
また、栓体４を、あらかじめインジェクション成形法、あるいはコンプレッション成形法などにより成形し、その栓体４を、蓋体２を成形する金型のキャビティ内の所定位置に配置した後、そのキャビティ内に加熱溶融ポリプロピレンなどを流し込み冷却固化させ、蓋体２を成形するインジェクション成形法を採用することもできる。
上記のいずれの方法を採用しても、蓋体２と栓体４を溶着させることができる。なお、蓋体２と栓体４とを強固に溶着させるためには、蓋体２を形成する熱可塑性合成樹脂と、栓体４を形成する熱可塑性合成樹脂弾性体の材質の選択において、相互に溶着相性の良い組み合わせになるように選択することが好ましい。
【００２３】
栓体保持部２５の周縁部２５１の下面は、溶解液容器６の口部６１の周縁に形成されたフランジ部６２の上面と、相互に向き合って接続される。その接続方法は、超音波シール法による溶着によることができる。
栓体保持部２５から上方に延設された両頭針保持部２４内には、上記のとおり両頭針保持孔２４１が穿設されており、さらに、両頭針保持孔２４１の内側面には、２本のガイド溝部２４２が形成されており、図５に示す両頭針３のガイド凸条部３６と係合しつつ、両頭針３を軸方向に案内するとともに、両頭針３の回転を防ぐようにしてある。
【００２４】
両頭針保持部２４の上方には、上記のとおり筒状部２１が延設されており、その筒状部２１内の底部２２には、４枚の支持板２６と４本の係合片２７が、各々筒状部２１と同心円の軌跡上の位置から上向きに立設されている。
４枚の支持板２６は、図９に示すように、溶解液容器６と薬剤容器Ａを連結する際に、薬剤容器Ａの開口シール部Ａ２を取り囲み、薬剤容器Ａの姿勢を安定させて保持する。
【００２５】
係合片２７は、上記２つの容器の連結時に、両頭針３を下部位置で筒状部底面２２に固定するための拘束手段である。上記のとおり、４本の係合片２７は、筒状部２１と同心円の軌跡上に位置するとともに、図６および図７に示す両頭針３の円盤部３４の周縁の直下に位置しており、各々の係合片２７の上端には、係合凸部２８が筒状部２１の中心軸に向かって突設され、フック状になっている。これにより、両頭針３が下方にスライド移動する際に、円盤部３４が、４本の係合片２７の間を係合片２７の保有弾性に抗して押し広げながら下方に進み、図９に示すように、円盤部３４の下面が筒状部底面２２に接する下部位置に達した時に、係合片２７上端の係合凸部２８が、円盤部３４の周縁部上面と係合し、両頭針３を底面２２に固定する。
【００２６】
また、図１に示すとおり、筒状部２１の外面の上部には、両頭針付き溶解液容器１を用いて点滴投与を行う際に、両頭針付き溶解液容器１をハンガー（図示せず）などに吊るすための懸吊ベルト８が備えられている。
【００２７】
図５、図６および図７に示す両頭針３は、硬質のポリプロピレンによって、インジェクション成形されたものであり、材質としては、硬質のポリプロピレンの他、硬質のポリエチレンなどの合成樹脂やステンレスなどの金属を採用することができる。
両頭針３の下部側は、溶解液容器６と薬剤容器Ａを連結する際に、栓体４を刺通する一方針部３１とされ、上部側は、薬剤容器Ａの開口シール部Ａ２に嵌着されているゴム製栓体を刺通する他方針部３２とされており、これら両針部とも、先端は鋭く尖った円錐状に形成されている。
また、両頭針３の内部には、一方針部３１から他方針部３２まで連通する２本の連通路３３が設けられており、溶解液容器６と薬剤容器Ａを連結した場合に、両容器の内部空間を連通できるようになっている。
【００２８】
両頭針３には、その軸方向中央部より少し上部の側周面から、同心円状に張り出すように円盤部３４が形成されている。この円盤部３４の直径は、薬剤容器Ａの口部シール部Ａ２の直径よりも少し小さく、また、円盤部３４の周縁部の上面には、８個の突起部３５が突設されている。
円盤部３４の下方において両頭針３の側部には、軸方向に延びる２本のガイド凸条部３６が形成されている。このガイド凸条部３６は、上記のとおり、蓋体２の両頭針保持孔２４１の内側面に形成された２本のガイド溝部２４２と係合して、両頭針３の回転を防ぐ。
【００２９】
また、ガイド凸条部３６の下方において両頭針３の側部には、正面形状が逆三角形の２個の係止凸部３７が形成されている。
この係止凸部３７は、溶解液容器６と薬剤容器Ａとの連結時において、両頭針３を下部位置に固定するための係止手段である。すなわち、前記両容器の連結時において、両頭針３の一方針部３１が、栓体４を刺通して反対側（溶解液容器６の内側）に突出する際に、係止凸部３７も一緒に突出し、すると係止凸部３７は、その逆三角形の形状によってアンカー効果を生ずるため、栓体４から一方針部３１を抜け難くすることができる。その結果、両頭針３の上方への移動を抑制し、下部位置に止めることができる。
【００３０】
蓋体２の筒状部２１の上端は、上記のとおり、薬剤容器Ａの挿入口２３として開口しているが、未使用時には、塵などの異物の侵入を防ぐために、シール部材５によって密閉されている。
シール部材５は、紙の層とポリプロピレンの層を有する２層構造のシートからなり、ポリプロピレン層をシール面として、挿入口２３の口縁に加熱溶着されている。
【００３１】
蓋体２は、溶解液容器６の口部６１と接続されている。詳しくは、蓋２の栓体保持部２５の周縁部２５１の下面が、溶解液容器６の口部６１の周縁に形成されたフランジ部６２の上面と、超音波シール法により溶着され、口部６１を密封するシール部６３とされている。
上記のとおり、蓋体２の栓体保持部２５内には、栓体４が配設されているため、溶解液容器６のフランジ部６に蓋体２の栓体保持部２５を溶着し、溶解液容器６の口部６１を密封する工程によって、同時に、口部６１に栓体４を取り付けることができる。したがって、両頭針付き溶解液容器１の製造工程を簡略化できるため、製造コストを低減することができる。
【００３２】
溶解液容器６は、軟質のポリプロピレンを用いてブロー成形された中空の容器であり、本実施形態では、この中空部に溶解液Ｃとして、生理食塩水が収容されている。
図１に示すとおり、溶解液容器６の上端は、蓋体２と接続する口部６１であり、下端には、両頭針付き溶解液容器１の使用時に、点滴チューブ（図示せず）などを接続する注出口蓋７が備えられており、さらに注出口蓋７の下部には、脚部７１が連設されている。
溶解液容器本体６の材質としては、軟質のポリプロピレンの他、軟質のポリエチレン等のポリオレフィン系樹脂、環状ポリオレフィン、ポリ塩化ビニル、エチレン・酢酸ビニル共重合体、アイオノマー樹脂やこれらの２種以上の混合物などを採用することができるが、軟質のポリプロピレンは耐熱性が高く、加熱殺菌に対する適性に優れているため好ましい。
【００３３】
また、溶解液容器６の容器璧は、複数の性質の異なる合成樹脂を積層した多層構造とし、機能性の向上を図ることができる。
例えば、溶解液容器６の容器璧の合成樹脂層が２層構造である場合は、溶解液と直接触れる内層を環状ポリオレフィンとし、外層をポリプロピレンとすることができる。また、合成樹脂層が３層構造である場合は、内層および外層をポリプロピレンとし、中間層をオレフィン系エラストマーとすることができ、或いは、内層および外層をポリエチレンとし、中間層をエチレン・酢酸ビニル共重合体とすることができる。
なお、本実施形態における溶解液容器６の容器壁は、上記のとおり、軟質のポリプロピレンによる単層構造である。
【００３４】
次に、本発明の両頭針付き溶解液容器１の使用方法を、図８〜図１１に基づいて説明する。
まず、両頭針付き溶解液容器１の筒状部２１の上端からシール部材５を剥離除去し、挿入口２３を開口する。次に、別途用意した薬剤容器Ａを、その開口シール部Ａ２側から前記挿入口２３に挿入し、下方向に押し込むと、開口シール部Ａ２のゴム製栓体が、上部位置で保持されている両頭針３の他方針部３２で刺通される。
さらに、薬剤容器Ａを下方向に押し、図８に示すように、薬剤容器Ａの口部シール部Ａ２が、両頭針３の円盤部３４上面に到達すると、両頭針３にかかる荷重が大きくなるので、両頭針３は、薬剤容器Ａとともに蓋体２の両頭針保持孔２４１に沿って下部位置まで移動し、図９に示すように、両頭針３の一方針部３１で栓体４が刺通される。
【００３５】
その際、両頭針３の円盤部３４が、筒状部底部２２に立設された４本の係合片２７の間を、その保有弾性に抗して押し拡げながら下方に進み、溶解液容器６と薬剤容器Ａとの連結が完了すると同時に、係合片２７の上端の係合凸部２８が、円盤部３４の周縁部上面と係合し、これにより両頭針３が、下部位置において筒状部底面２２に固定される。
また、同時に、両頭針３の下部側の側部に設けられた係止凸部３７が、栓体４を突き抜けて反対側に突出した状態となり、そのアンカー効果によって、両頭針３が下部位置においてより強く固定される。
こうして、薬剤容器Ａと溶解液容器６とが、両頭針３を介して連通されたら、次いで、両頭針付き溶解液容器１の上下を逆転させると、溶解液容器６内の溶解液Ｃが薬剤容器Ａ内に流入し、薬剤容器Ａ内の薬剤が溶解され混合して薬液となる。その後、薬剤容器Ａを上にして、溶解液容器６内に薬剤容器Ａ内の薬液を戻すことで、溶解液と薬剤との混合操作が完了する。
【００３６】
なお、溶解液Ｃに対し、複数の種類の薬剤を溶解混合する場合には、まず、使用済みの薬剤容器Ａを、両頭針３の他方針部３２から引き抜いて取り外し、次に、新たな薬剤容器Ａを連結して、収容されている薬剤を溶解混合するという一連の操作を、必要回数だけ繰り返せばよい。
その際、両頭針３は、前記係合片２７による拘束作用と前記係止凸部３７による係止作用によって、下部位置にしっかりと固定されているので、両頭針３が、使用済み薬剤容器Ａの取り外しの際に上方に引っ張られても、その一方針部３１が栓体４から抜け出てしまうことがない。したがって、針抜けに起因する液漏れを起こし難く、両頭針３の安定性が保持され、薬剤容器Ａの交換を、何度でも安全かつ確実に行うことができる。
以上の溶解液Ｃと薬剤との混合操作が完了した後は、溶解液容器６の下端の注出口蓋７に、点滴チューブ（図示せず）などを接続し、両頭針付き溶解液容器１の上部の懸吊ベルト８を、ハンガー（図示せず）などに掛けることによって、患者に対する薬液の点滴投与を行うことができる。
【産業上の利用可能性】
【００３７】
本発明は、構成部品が少ないため製造工程を簡略化して製造コストを低減でき、さらに、使用済みの薬剤容器を取り外す際などに、両頭針が溶解液容器の口部から抜け出てしまうことがないため、針抜けに起因する液漏れを起こし難く、薬剤容器の交換を安全かつ確実に行うことができる両頭針付き溶解液容器として有用である。
【符号の説明】
【００３８】
１      両頭針付き溶解液容器
２      蓋体
２１    筒状部
２２    底部
２３    挿入口
２４    両頭針保持部
２４１  両頭針保持孔
２４２  ガイド溝部
２５    栓体保持部
２５１  周縁部
２６    支持板
２７    係合片
２８    係合凸部
３      両頭針
３１    一方針部
３２    他方針部
３３    連通路
３４    円盤部
３５    突起部
３６    ガイド凸条部
３７    係止凸部
４      栓体
５      シール部材
６      溶解液容器
６１    口部
６２    フランジ部
６３    シール部
７      注出口蓋
７１    脚部
８      懸吊ベルト
Ａ      薬剤容器
Ａ１    容器本体
Ａ２    開口シール部
Ｃ      溶解液
【図１】
2014144029.tif 000003
【図２】
2014144029.tif 000004
【図３】
2014144029.tif 000005
【図４】
2014144029.tif 000006
【図５】
2014144029.tif 000007
【図６】
2014144029.tif 000008
【図７】
2014144029.tif 000009
【図８】
2014144029.tif 000010
【図９】
2014144029.tif 000011
【図１０】
2014144029.tif 000012
【図１１】
2014144029.tif 000013